(57)【要約】【課題】  本発明は、歩行する際にも足指を指袋から脱げ難くした指袋付き靴下を提供することにある。【解決手段】  少なくとも小指用指袋を含む複数の指袋部を有する爪先部と、該爪先部と繋がる胴部と、踵部とを備える指袋付き靴下において、踵部を基準として胴部に繋がる爪先部の側面の一方が甲部側、他方が底部側に向くようにする。踵部を基準として爪先部が捻れ、足に沿うことで歪みが生じる前の編地の状態に戻ろうとする力が働き、この編地のかかる抵抗によって靴下が足にしっかりとフィットし、小指が指袋から脱げ難くなる。【選択図】図３
2019026982.tif 000002
【特許請求の範囲】
【請求項１】
少なくとも小指用指袋部を含む複数の指袋部を有する爪先部と、該爪先部と繋がる胴部と、踵部とを備える指袋付き靴下において、
前記踵部を基準として、前記爪先部の側面の一方が甲部側、他方が底部側に向くように繋がっていることを特徴とする指袋付き靴下。
【請求項２】
前記爪先部の側面の親指用指袋部側が前記底部側に、小指用指袋部側が前記甲部側に向くように繋がっていることを特徴とする請求項１に記載の指袋付き靴下。
【請求項３】
前記爪先部が、９０度回転して繋がっていることを特徴とする請求項１または請求項２に記載の指袋付き靴下。
【発明の詳細な説明】
【技術分野】
【０００１】
本発明は、歩行する際にも足指を指袋から脱げ難くした指袋付き靴下を提供することを目的とする。
【背景技術】
【０００２】
従来から、爪先部分に５本の足指を夫々指袋に挿入できるようにした５本指靴下が知られている。５本指靴下は、運動時の足指の踏ん張りに好適であり、また各足指間の蒸れを防止して足指の快適性に寄与することなどが評価されている。しかし、人間の足の小指の付け根は、他の指の付け根よりも踵方向に引っ込んでいるため、５本指靴下を着用した際には、特に小指は靴下の指の付け根位置と実際の足の付け根位置とが合わずに指袋が浮いた状態となり易く、指袋から脱げ易い。
上記課題を解決する手段として、例えば特許文献１では、親指用指袋、人差し指用指袋、中指用指袋の各指袋の付け根部分に筒状の３本胴の編地を形成してから、薬指用指袋及び小指用指袋を編成することが提案されている。また、特許文献２では、薬指用指袋及び小指用指袋を踵方向へ傾斜または湾曲させた５本指付き靴下が提案されている。しかしながら、上記特許文献のような従来の靴下では、人が着用した際の歩行動作において、足の形状によっては足と靴下にずれが生じて小指用指袋に収容している小指が脱げてしまうという問題があった。
【先行技術文献】
【特許文献】
【０００３】
【特許文献１】特許第３００４２００号
【特許文献２】特開２０１７−４３８６８号公報
【発明の概要】
【発明が解決しようとする課題】
【０００４】
本発明は上記事情に鑑みてなされたもので、その目的は、歩行動作において、足指を指袋から脱げ難くした指袋付き靴下を提供することにある。
【課題を解決するための手段】
【０００５】
本発明は、少なくとも小指用指袋を含む複数の指袋部を有する爪先部と、該爪先部と繋がる胴部と、踵部とを備える指袋付き靴下において、
前記踵部を基準として、前記爪先部の側面の一方が甲部側、他方が底部側に向くように繋がっていることを特徴とする指袋付き靴下である。
【０００６】
また本発明は、前記爪先部の側面の親指用指袋部側が前記底部側に、小指用指袋部側が前記甲部６側に向くように繋がっていることを特徴とする指袋付き靴下である。
【０００７】
また本発明は、前記爪先部が、９０度回転して繋がっていることを特徴とする指袋付き靴下である。
【発明の効果】
【０００８】
本発明の指袋付き靴下は、人が着用した際に靴下は拡がり足に沿った形状となるが、胴部に繋がる爪先部の側面の一方が甲部側、他方が底部側に向くように繋がっていることで、踵部を基準として爪先部が捻れ、足に沿うことで歪みが生じる前の編地の状態に戻ろうとする力が働き、この編地のかかる抵抗によって靴下が足にしっかりとフィットし、小指が指袋から脱げ難くなる。
【０００９】
本発明の指袋付き靴下は、甲部側に小指用指袋部の側面、底部側に親指用指袋部の側面が向くように爪先部を胴部に繋げているため、小指用指袋部が上方に押し上げられる力と親指用指袋部が下方に押し下げられる力が働く。このような靴下は、スポーツで使用する場合のような走行動作において有効であり、足裏の小趾球から拇趾球における体重移動によって蹴り出す際の動作を補助する効果がある。
【００１０】
本発明の指袋付き靴下は、踵部を基準として胴部に繋がる爪先部を９０度回転させるため、歪みが生じる前の編地の状態に戻ろうとする力がより強く働き、小指が指袋から脱げ難くなる。また、靴下は左右関係なくどちらの足にでも履けるようになる。
【図面の簡単な説明】
【００１１】
【図１】実施形態１に示す５本指靴下を甲部側から見た概略上面図である。
【図２】実施形態１に示す５本指靴下を底部側から見た概略下面図である。
【図３】実施形態１に示す５本指靴下の概略左側面図である。
【図４】実施形態１に示す５本指靴下を足型に履かせた状態を示す写真である。
【図５】実施形態１に示す５本指靴下の胴部における編成方法の一例を示す編成工程図である。
【図６】実施形態２に示す５本指靴下の編成概略図である。
【発明を実施するための形態】
【００１２】
以下、本発明の実施形態では、横編機を用いて編成される５本指靴下１を例として、図面に基づいて説明する。なお、図に示す符号は、各図に共通するものであるため、直接の説明がない場合にも位置関係を示すために記載している。実施形態では、左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００１３】
＜実施形態１＞
≪全体構成≫
各図は本発明に係る靴下の実施の形態の一例を示す図であって、図１は本発明の実施形態１に示す５本指靴下１を甲部６側から見た概略上面図である。また、図２は、図１に示す５本指靴下１を底部７側から見た概略下面図であり、図３は、図１に示す５本指靴下１の概略左側面図であり、図４は、図１に示す５本指靴下１を足型に履かせた状態を示す写真図である。
【００１４】
５本指靴下１は、履き口５、脚部９、踵部８、甲部６、底部７を有し、甲部６と底部
７から成る胴部２の端部には、足の指を内包する袋状の爪先部３が編成により接続されて
いる。爪先部３は、親指用指袋部４ａ、人差し指用指袋部４ｂ、中指用指袋部４ｃ、薬指用指袋部４ｄおよび小指用指袋部４ｅの５つの指袋部４を有している。この５本指靴下１を着用した場合、５つの指袋部４ａ〜４ｅは、５本の指を別個に収容するものとなっている。
【００１５】
また、図３に示すように、５本指靴下１の爪先部３に繋がる胴部２おいて公知の回し込み編成を行うことで、胴部２に繋がる爪先部３は、踵部８を基準として爪先部３の側面１１ａ，１１ｂの親指用指袋部４ａ側が底部７側に、小指用指袋部４ｅ側が甲部６側に向くように繋がっている。
【００１６】
実施形態１に示す５本指靴下１では、各図に示すように、胴部２に繋がる爪先部３が、踵部８を基準として９０度回転して繋がっているため、５本指靴下１は左右関係なくどちらの足にでも履けるようになる。その場合には踵部８を基準として爪先部３が大きく捻れているため、歪みが生じる前の編地の状態に戻ろうとする力がより強く働き、小指が指袋から脱げ難くなる。
【００１７】
なお、５本指靴下１の爪先部３を、踵部８を基準として９０度以外で繋げている場合には、右足用と左足用の靴下は左右対称に形成すればよい。また、本実施形態に示す５本指靴下１に限らず、５本指靴下１は、胴部２に繋がる爪先部３の側面１１ａ，１１ｂの一方が甲部６側、他方が底部７側に向くように繋がっていればよく、例えば、胴部２に繋がる爪先部３の側面１１ａ，１１ｂの親指用指袋部４ａ側が甲部６側に、小指用指袋部４ｅ側が底部７側に向くように繋がっていてもよい。
【００１８】
≪編成手順≫
この５本指靴下１は、爪先部３から編成され、地糸を供給するキャリアを用いて、５本指靴下１の甲部６をＦＢで、底部７をＢＢで編成する。なお、５本指靴下１は、履き口５から編成してもよい。また、５本指靴下１を構成する編組織は限定されず、例えば、天竺組織、あるいはその他の異なる組織などでもよい。
【００１９】
まず、前後針床の編針に編糸を供給して筒状に編成し、親指用指袋部４ａ、人差し指用指袋部４ｂ、中指用指袋部４ｃ、薬指用指袋部４ｄを順次編成し、編針に係止される編目列を筒状に編成して各指袋を接続して４本胴部２ａを形成した後、小指用指袋部４ｅを編成する。このように各指袋部４を編成した後は、編針に係止される編目列を筒状に編成して胴部２を形成し、続く踵部８を公知の編成方法を用いて形成した後、履き口５まで編針に係止される編目列を筒状に編成して脚部９を形成する。その後、公知の伏目処理を行うことで、５本指靴下１の編成は完了する。
【００２０】
この５本指靴下１の編成における胴部２では、図３に示す破線で囲った部分で徐々に回し込み編成を行う。図３の破線で囲った部分は、図５に示す編成工程図に従って編成することができる。図５は、図３の破線で囲った部分の回し込み編成を簡略化して示したものである。左欄の『アルファベット＋数字』は編成工程の番号を示し、右欄にはＦＢとＢＢにおける編目の形成状態が示されている。また、各工程で編目を形成した部分は黒丸、係止される編目は白丸で示す。さらに、符号１０が付された三角印は地糸を給糸する給糸口を示す。なお、本実施形態では、フックに編目を係止した状態でスライダーに他の編目を一時的に預けることが可能な複合針を備えた（株）島精機製作所の編機（ＳＷＧ０２１Ｎ２）を用いる。また、図５に示す編成工程図の胴部２の編目数は、説明の便宜上実際の目数より少なくしている。
【００２１】
Ｓ０では、胴部２の甲部６の編目がＦＢの編針Ａ〜Ｍに、底部７の編目がＢＢの編針ａ〜ｍにより係止された状態が示されている。ここに至るまでに、前記したように５本指靴下１は爪先部３から編み出され、公知の編成により指袋部４を形成してから胴部２が筒状に編成されている。
【００２２】
Ｓ１では、ＢＢの編針ａ〜ｍに係止される底部７の編目をＦＢの編針Ａ〜Ｍのスライダーに目移して編目を一時的に預ける。
【００２３】
Ｓ２では、ＢＢを左側に４Ｐラッキングし、ＦＢの編針のスライダーに預けた底部７の編目を、ＢＢの編針ｅ〜ｑに目移しする。
【００２４】
Ｓ３では、給糸口１０を左方向に移動させ、ＦＢの編針Ｅ〜Ｍに係止される甲部６の編目に新たな編目を形成する。
【００２５】
Ｓ４では、給糸口１０を右方向に移動させ、ＦＢの編針Ｄに係止される編目に新たな編目を形成する。ここで、給糸口１０を蹴り返して編成したのは、続くＳ７で目移しする編目が捻れ目とならないようにするためである。なお、ここでは省略して図示しないが、ＦＢの編針Ａ〜Ｃに係止される編目に対しても同様に給糸口１０を右方向に繰り返し移動させながら新たな編目を形成する。
【００２６】
Ｓ５では、給糸口１０を右方向に移動させ、ＢＢの編針ｅ〜ｍに係止される編目に対して新たな編目を形成する。
【００２７】
Ｓ６では、給糸口１０を左方向に移動させ、ＢＢの編針ｎに係止される編目に対して新たな編目を形成する。Ｓ６は、Ｓ４と同様に続くＳ７で目移しする編目が捻れ目とならないようにするための編成工程であり、ここでも図示しないが、ＢＢの編針ｏ〜ｑに係止される編目に対しても同様に給糸口１０を左方向に繰り返し移動させながら新たな編目を形成する。
【００２８】
Ｓ７では、ＢＢを右側に１Ｐラッキングし、ＦＢの編針Ａに係止される編目をＢＢの編針ｄに目移しすると共に、ＢＢの編針ｑに係止される編目をＦＢの編針Ｎに目移しする。なお、ここでは省略して図示しないが、同様にＦＢの編針Ｂ〜Ｄに係止される編目をＢＢの編針ｃ〜ａに目移しすると共に、ＢＢの編針ｐ〜ｎに係止される編目をＦＢの編針Ｏ〜Ｑに目移しして回し込みを行っていく。
【００２９】
続く編成では、針床に係止される編目に対して少なくとも１コースの新たな編目を形成してから、上記編成工程を繰り返し行って指袋部４に繋がる胴部２を徐々に回し込んでいく。なお、図３，４に示す点ａ,ｚ,ｂは、胴部２を回し込みをしながら編成した際の前後境界部の編目を示す。各点ａ,ｚ,ｂでは、底部７（踵部８）を起点に爪先部３が、それぞれ０度、４５度、９０度、回転した状態となる。各点を結び、更に延長して示す実線は、爪先部３の編成後から履き口５に至るまでの前後境界部の編目を示す。また、回し込み編成において新たな編目を形成せず、目移しのみを繰り返して所望の位置まで爪先部３を回してもよい。
【００３０】
以上の編成工程によって、胴部２に繋がる爪先部３は、爪先部３の側面１１ａ，１１ｂの親指用指袋部４ａ側が底部７側に、小指用指袋部４ｅ側が甲部６側に向くように繋がった状態となる。そのため、人が着用した際に靴下は拡がり足に沿った形状となるが、踵部８を基準として爪先部３が捻れ、足に沿うことで歪みが生じる前の編地の状態に戻ろうとする力が働き、この編地のかかる抵抗によって靴下が足にしっかりとフィットし、小指が指袋から脱げ難くなる。
【００３１】
また、本実施形態の５本指靴下１は、甲部６側に小指用指袋部４ｅの側面１１ｂ、底部７側に親指用指袋部４ａの側面１１ａが向くように爪先部３を胴部２に繋げているため、
小指用指袋部４ｅが上方に押し上げられる力と親指用指袋部４ａが下方に押し下げられる力が働く。このような５本指靴下１は、スポーツで使用する場合のような走行動作において有効であり、足裏の小趾球から拇趾球における体重移動によって蹴り出す際の動作を補助する効果がある。
【００３２】
ここで、爪先部３に繋がる胴部２を回し込む角度は、本実施形態の図３に示すように９０度回転となるｂの位置に限定されず、例えば４５度回転となるｚの位置まで回し込みを行ってもよく、着用者の足の形状にフィットするように回し込む角度は随時変更して編成すればよい。例えば、爪先部３に繋がる胴部２を回し込む角度は、１０度〜１２０度の範囲にすればよい。なお、着用し易さと編地にかかる抵抗のバランスを考慮すると、回し込む角度は３０度〜９０度の範囲にすることがより好ましい。
【００３３】
本発明の５本指靴下１は、胴部２に繋がる爪先部３の側面１１ａ，１１ｂの一方が甲部６側、他方が底部７側に向くように繋がった状態となればよく、必ずしも横編機を用いて無縫製で一体に編成する必要はない。例えば、爪先部３と胴部２に続く履き口５までのパーツを分けて形成し、後工程において縫製により接続して本実施形態のような５本指靴下１を形成してもよい。また、５本指靴下１は、必ずしも編地によって構成されていなくてもよい。
【００３４】
＜実施形態２＞
図６は実施形態２に示す５本指靴下１の編成概略図であり、実施形態１と共通する部分については同じ符号を付与している。実施形態１との違いとしては、爪先部３を編成後の胴部２で回し込み編成を行わない点である。以下、図面を用いて具体的に説明していく。
【００３５】
編成は図６の左部で示す実線の矢印方向に行い、履き口５から爪先部３に向けて無縫製で一体に編成する。
【００３６】
まず、履き口５から編成してから前後針床で編出し編成を行い、脚部９をラインＡまで筒状に周回して編成した後、脚部９の一部編目列２Ｓ（ｈ−ｉ）で新たな編目を形成して踵部８を形成していく。
【００３７】
踵部８は、踵部８ａのｈ−ｋの位置で編糸を前後針床でＣ字状に交互に反転させながら編成する公知の引き返し編成と，踵部８ａの外側に向けて目移しを行いながら内側で増目を行い、筒状編地の編幅を増やしていく。その後、増目時と逆の方向に目移しを行いながら目減らしを行うことで筒状編地の編幅を減らしてラインＢまで踵部８ｂを編成し、踵部８の編成を終える。踵部８ｂの終端ｍ−ｌまで編成した後は、胴部２をラインＣまで筒状に周回し、続いて各指袋３を編成する。これにより、実施形態１に示したように回し込み編成を行わなくても甲部６側に小指用指袋部４ｅの側面１１ｂ、底部７側に親指用指袋部４ａの側面１１ａが向くようにした５本指靴下１を形成できる。なお、実施形態２に示す５本指靴下１は、爪先部３から編成してもよい。
【００３８】
実施形態２に示す５本指靴下１は、踵部８での編幅を広げてウェール数を多く得ることにより、踵部８の突っ張りを抑えるとともに、十分な踵深さのある靴下を得ることができる。これにより、爪先部３に繋がる胴部２の回し込む角度が大きくなっても、着用した際に踵部８がずれ難い。
【００３９】
また、実施形態では５本指靴下１について説明したが、小指用指袋部４ｅを形成することを前提として、それ以外の指袋部４の数は１〜４本の範囲内で形成すればよく、限定されない。但し、５本の足指を夫々指袋に挿入できる５本指靴下１で構成されている方が、各指袋に足指がフィットして小指が脱げ難くなる。
【符号の説明】
【００４０】
１  ５本指靴下（指袋付き靴下）
２  胴部
３  爪先部
４，４ａ，４ｂ，４ｃ，４ｄ，４ｅ  指袋部
５  履き口
６  甲部
７  底部
８  踵部
９  脚部
１０  給糸口
１１ａ，１１ｂ  側面
【図１】
2019026982.tif 000003
【図２】
2019026982.tif 000004
【図３】
2019026982.tif 000005
【図４】
2019026982.tif 000006
【図５】
2019026982.tif 000007
【図６】
2019026982.tif 000008